(57)【特許請求の範囲】
【請求項１】
４つの接続口を有する腹水処理器に接続され、軟質チューブから成る腹水処理回路であって、  該腹水処理回路を吊り下げるための吊下部材と、  前記腹水処理器の長軸方向を鉛直方向とした時、最上部に位置する第一接続口に対して接続される第一回路と、  前記吊下部材及び前記第一回路を連結する第一連結部材と、  前記第一接続口の下方に隣接する第二接続口に対して接続される第二回路と、  前記第一回路及び前記第二回路を連結する第二連結部材と、  前記第二接続口の下方に隣接する第三接続口に対して接続される第三回路と、  前記第二回路及び前記第三回路を連結する第三連結部材と、  前記第三接続口の下方に隣接する第四接続口に対して接続される第四回路と、  前記第三回路及び前記第四回路を連結する第四連結部材とを有し、  前記吊下部材によって吊り下げられた時に、鉛直上方から第一回路、第二回路、第三回路、第四回路の順序で配置されるように構成されていることを特徴とする腹水処理回路。
【請求項２】
前記腹水処理器が腹水濾過器または腹水濃縮器のいずれかであることを特徴とする請求項１に記載の腹水処理回路。
【請求項３】
前記第二回路と前記第二連結部材との連結部、 前記第二回路と前記第三連結部材との連結部、及び 前記第三回路と前記第三連結部材との連結部において、 当該回路と当該連結部材が互いに直交するように固定されることを特徴とする請求項１又は２に記載の腹水処理回路。
【請求項４】
前記第一乃至第四回路は、結束バンドによって束ねられていることを特徴とする請求項１乃至３のいずれか１項に記載の腹水処理回路。
【請求項５】
腹水濾過器及び腹水濃縮器に接続され、軟質チューブから成る腹水処理回路であって、  一端が腹水貯留バッグに接続され他端が腹水濾過器の腹水入口に接続される腹水導入回路と、  一端がエアベントフィルタに接続され他端が前記腹水濾過器の第一濾過腹水出口に接続される通気回路と、  前記腹水濾過器の廃液出口に接続される廃液回路と、  前記腹水濾過器の第二濾過腹水出口と前記腹水濃縮器の濾過腹水入口を連結する濾過腹水導入回路と、  前記腹水濃縮器の２つの除水出口に接続される除水回路及び閉塞用回路と、  一端が前記腹水濃縮器の濃縮腹水出口に接続され他端が回収バッグに接続される濃縮腹水回収回路とからなり、  前記廃液回路と前記濃縮腹水回収回路の各々には、回路を吊り下げるための濾過側吊下部材と濃縮側吊下部材が接続され、  前記廃液回路と前記通気回路、前記通気回路と前記濾過腹水導入回路、前記濾過腹水導入回路と前記腹水導入回路、前記濃縮腹水回収回路と前記除水回路、前記除水回路と前記閉塞用回路、前記閉塞用回路と前記濾過腹水導入回路は、各々連結部材によって連結されて一体化されており、  前記濾過側吊下部材によって吊り下げられた時に、鉛直上方から前記廃液回路、前記通気回路、前記濾過腹水導入回路、前記腹水導入回路の順序で配置されるように構成され、  前記濃縮側吊下部材によって吊り下げられた時に、鉛直上方から前記濃縮腹水回収回路、前記除水回路、前記閉塞用回路、前記濾過腹水導入回路の順序で配置されるように構成されていることを特徴とする腹水処理回路。
【請求項６】
前記廃液回路と前記通気回路とを連結する前記連結部材と前記通気回路の連結部、 前記通気回路と前記濾過腹水導入回路とを連結する前記連結部材と前記通気回路の連結部、及び 前記通気回路と前記濾過腹水導入回路とを連結する前記連結部材と前記濾過腹水導入回路の連結部において、 当該回路と当該連結部材が互いに直交するように固定されることを特徴とする請求項５に記載の腹水処理回路。
【請求項７】
前記濃縮腹水回収回路と前記除水回路とを連結する前記連結部材と前記除水回路の連結部、 前記除水回路と前記閉塞用回路とを連結する前記連結部材と前記除水回路の連結部、及び 前記除水回路と前記閉塞用回路とを連結する前記連結部材と前記閉塞用回路の連結部において、 当該回路と当該連結部材が互いに直交するように固定されることを特徴とする請求項５又は６に記載の腹水処理回路
【請求項８】
前記廃液回路、前記通気回路、前記濾過腹水導入回路及び前記腹水導入回路からなる濾過側腹水処理回路と、 前記濃縮腹水回収回路、前記除水回路、前記閉塞用回路及び前記濾過腹水導入回路からなる濃縮側腹水処理回路は、それぞれ結束バンドによって束ねられていることを特徴とする請求項５乃至７のいずれか１項に記載の腹水処理回路。
【請求項９】
前記吊下部材及び前記連結部材は、中実の軟質チューブであることを特徴とする請求項１乃至請求項８のいずれか１項に記載の腹水処理回路。
【請求項１０】
前記吊下部材の構造は輪であることを特徴とする請求項１乃至９のいずれか１項に記載の腹水処理回路。
【請求項１１】
４つの接続口を有する腹水処理器に接続される軟質チューブから成る腹水処理回路と前記腹水処理器の接続方法であって、  前記腹水処理回路は、該腹水処理回路を吊り下げるための吊下部材と、 前記腹水処理器の長軸方向を鉛直方向とした時、最上部に位置する第一接続口に対して接続される第一回路と、 前記吊下部材及び前記第一回路を連結する第一連結部材と、 前記第一接続口の下方に隣接する第二接続口に対して接続される第二回路と、 前記第一回路及び前記第二回路を連結する第二連結部材と、 前記第二接続口の下方に隣接する第三接続口に対して接続される第三回路と、 前記第二回路及び前記第三回路を連結する第三連結部材と、 前記第三接続口の下方に隣接する第四接続口に対して接続される第四回路と、 前記第三回路及び前記第四回路を連結する第四連結部材とを有し、 前記第一乃至第四回路は結束バンドによって束ねられており、  前記腹水処理回路を固定台に吊り下げて結束バンドを外して束ねを解き、  前記腹水処理回路の前記第一回路、前記第二回路、前記第三回路、前記第四回路を鉛直上方からこの順序に配置させた後に前記腹水処理器を接続する  ことを特徴とする腹水処理回路と腹水処理器の接続方法。
【請求項１２】
軟質チューブから成る腹水処理回路と腹水処理器の接続方法であって、  前記腹水処理回路は濾過腹水導入回路によって連結された濾過側腹水処理回路と濃縮側腹水処理回路とから成り、  前記腹水処理器は腹水濾過器と腹水濃縮器とから成り、  前記濾過側腹水処理回路と濃縮側腹水処理回路の各々は、吊下部材を有し、連結部材によって一体化され、且つ結束バンドによって束ねられており、  前記濾過側腹水処理回路と濃縮側腹水処理回路とを固定台に吊り下げて結束バンドを外して束ねを解き、  前記濾過側腹水処理回路の廃液回路、通気回路、濾過腹水導入回路、腹水導入回路を鉛直上方からこの順序に配置させた後に前記腹水濾過器を接続し、  前記濃縮側腹水処理回路の濃縮腹水回収回路、除水回路、閉塞用回路、前記濾過腹水導入回路を鉛直上方からこの順序に配置させた後に前記腹水濃縮器を接続することを特徴とする腹水処理回路と腹水処理器の接続方法。
【発明の詳細な説明】
【技術分野】
【０００１】
本発明は、腹水を濾過濃縮するための腹水処理回路、及び腹水処理回路と腹水処理モジュールの接続方法に関する。
【背景技術】
【０００２】
肝硬変などの腹水の溜まり易い患者に対する治療として、腹部に針を刺し体外に排出した腹水を濃縮処理し、腹水内に含まれる蛋白成分を点滴して患者に戻し有効活用する腹水濃縮還流が行われている。
【０００３】
腹水濃縮環流に使用する装置として、腹水の取り出しポンプに接続された腹水濾過器と、腹水濾過器で濾過された腹水を濃縮する腹水濃縮器からなる腹水処理装置が知られている。従来の装置は、ポンプの他に、ポンプの制御機構、腹水濾過器及び腹水濃縮器の保持部、回路の圧力モニター、警報機構などを備えているので、重量が大きく持ち運びが容易でない、操作が複雑なので操作を誤る恐れがある、という欠点があった。
【０００４】
このような欠点を解消する装置として、特許文献１では、ポンプを使用せずに腹水濃縮還流を行う装置が開示されている。患者から採取された腹水の入った腹水貯留バッグ、腹水濾過器、腹水濃縮器、腹水回収用バッグをこの順で連結し、かつこの順で高低差があるように設置することにより、ポンプを使用することなく、落差による重力差の作用だけで腹水を処理することができる。この方法はポンプを使用する必要がなく、どのような場所でも腹水濃縮処理を行うことができるという点で優れた方法であるが、複数の回路と複数のバッグを腹水濾過器と腹水濃縮器に正しく接続しなければならず、接続を誤る恐れがある、装置の組み立てに時間がかかる、などの難点を有していた。
【０００５】
【特許文献１】特許第３０６６１５１号公報
【発明の開示】
【発明が解決しようとする課題】
【０００６】
本発明の課題は、上記従来技術の問題点に鑑み、腹水処理回路の接続口と腹水処理モジュールの接続口との対応関係が容易に把握でき、したがって接続の誤りがなく、接続操作が簡便に行える腹水処理回路を提供することにある。
【課題を解決するための手段】
【０００７】
本発明者は、軟質チューブからなる濾過側腹水処理回路と濃縮側腹水処理回路を連結部材によって相互に接続し、吊下部材を設けて回路全体を固定台に吊り下げられようにし、更に吊下部材によって吊り下げられた時に、腹水処理回路の接続口が鉛直上方から一定の順序で並ぶように回路を構成すれば、腹水処理回路の接続口と腹水処理モジュールの接続口との対応関係が容易に把握できることを見出し、本発明を完成するに至った。
【０００８】 上記目的を達成する腹水処理回路は、４つの接続口を有する腹水処理器に接続され、軟質チューブから成る腹水処理回路であって、該腹水処理回路を吊り下げるための吊下部材と、前記腹水処理器の長軸方向を鉛直方向とした時、最上部に位置する第一接続口に対して接続される第一回路と、前記吊下部材及び前記第一回路を連結する第一連結部材と、前記第一接続口の下方に隣接する第二接続口に対して接続される第二回路と、前記第一回路及び前記第二回路を連結する第二連結部材と、前記第二接続口の下方に隣接する第三接続口に対して接続される第三回路と、前記第二回路及び前記第三回路を連結する第三連結部材と、前記第三接続口の下方に隣接する第四接続口に対して接続される第四回路と、前記第三回路及び前記第四回路を連結する第四連結部材とを有し、前記吊下部材によって吊り下げられた時に、鉛直上方から第一回路、第二回路、第三回路、第四回路の順序で配置されるように構成されていることを特徴とする腹水処理回路である。【０００９】 また、上記目的を達成する腹水処理回路は、腹水濾過器及び腹水濃縮器に接続され、軟質チューブから成る腹水処理回路であって、一端が腹水貯留バッグに接続され他端が腹水濾過器の腹水入口に接続される腹水導入回路と、一端がエアベントフィルタに接続され他端が前記腹水濾過器の第一濾過腹水出口に接続される通気回路と、前記腹水濾過器の廃液出口に接続される廃液回路と、前記腹水濾過器の第二濾過腹水出口と前記腹水濃縮器の濾過腹水入口を連結する濾過腹水導入回路と、前記腹水濃縮器の２つの除水出口に接続される除水回路及び閉塞用回路と、一端が前記腹水濃縮器の濃縮腹水出口に接続され他端が回収バッグに接続される濃縮腹水回収回路とからなり、前記廃液回路と前記濃縮腹水回収回路の各々には、回路を吊り下げるための濾過側吊下部材と濃縮側吊下部材が接続され、前記廃液回路と前記通気回路、前記通気回路と前記濾過腹水導入回路、前記濾過腹水導入回路と前記腹水導入回路、前記濃縮腹水回収回路と前記除水回路、前記除水回路と前記閉塞用回路、前記閉塞用回路と前記濾過腹水導入回路は、各々連結部材によって連結されて一体化されており、前記濾過側吊下部材によって吊り下げられた時に、鉛直上方から前記廃液回路、前記通気回路、前記濾過腹水導入回路、前記腹水導入回路の順序で配置されるように構成され、前記濃縮側吊下部材によって吊り下げられた時に、鉛直上方から前記濃縮腹水回収回路、前記除水回路、前記閉塞用回路、前記濾過腹水導入回路の順序で配置されるように構成されていることを特徴とする腹水処理回路である。【００１０】 また、上記目的を達成する腹水処理回路と腹水処理器の接続方法は、４つの接続口を有する腹水処理器に接続される軟質チューブから成る腹水処理回路と前記腹水処理器の接続方法であって、前記腹水処理回路は、該腹水処理回路を吊り下げるための吊下部材と、前記腹水処理器の長軸方向を鉛直方向とした時、最上部に位置する第一接続口に対して接続される第一回路と、前記吊下部材及び前記第一回路を連結する第一連結部材と、前記第一接続口の下方に隣接する第二接続口に対して接続される第二回路と、前記第一回路及び前記第二回路を連結する第二連結部材と、前記第二接続口の下方に隣接する第三接続口に対して接続される第三回路と、前記第二回路及び前記第三回路を連結する第三連結部材と、前記第三接続口の下方に隣接する第四接続口に対して接続される第四回路と、前記第三回路及び前記第四回路を連結する第四連結部材とを有し、前記第一乃至第四回路は結束バンドによって束ねられており、前記腹水処理回路を固定台に吊り下げて結束バンドを外して束ねを解き、前記腹水処理回路の前記第一回路、前記第二回路、前記第三回路、前記第四回路を鉛直上方からこの順序に配置させた後に前記腹水処理器を接続することを特徴とする腹水処理回路と腹水処理器の接続方法である。【００１１】 また、上記目的を達成する腹水処理回路と腹水処理器の接続方法は、軟質チューブから成る腹水処理回路と腹水処理器の接続方法であって、前記腹水処理回路は濾過腹水導入回路によって連結された濾過側腹水処理回路と濃縮側腹水処理回路とから成り、前記腹水処理器は腹水濾過器と腹水濃縮器とから成り、前記濾過側腹水処理回路と濃縮側腹水処理回路の各々は、吊下部材を有し、連結部材によって一体化され、且つ結束バンドによって束ねられており、前記濾過側腹水処理回路と濃縮側腹水処理回路とを固定台に吊り下げて結束バンドを外して束ねを解き、前記濾過側腹水処理回路の廃液回路、通気回路、濾過腹水導入回路、腹水導入回路を鉛直上方からこの順序に配置させた後に前記腹水濾過器を接続し、前記濃縮側腹水処理回路の濃縮腹水回収回路、除水回路、閉塞用回路、前記濾過腹水導入回路を鉛直上方からこの順序に配置させた後に前記腹水濃縮器を接続することを特徴とする腹水処理回路と腹水処理器の接続方法である。
【発明の効果】
【００１７】
本発明の腹水処理回路は、腹水処理回路の接続口と腹水処理器の接続口との対応関係が容易に把握でき、したがって接続の誤りがなく、接続操作が簡便である。加えて、回路が一体化され、かつ各部分が巻き取られているので取扱いが容易になった。また、腹水処理回路を吊り下げ式にしたので、腹水処理器を保持するモジュールホルダーを用いなくても腹水処理が可能である。更に、プライミング用回路を付け替え式にしたので、クランプ操作が少なくなった。
【発明を実施するための最良の形態】
【００１８】
以下、図面を参照して、本発明の好ましい実施の形態について説明する。
【００１９】
図１は、本発明の実施形態に係る腹水処理回路が固定台に吊り下げられた状態で自重により垂下した様子を示す模式図であり、腹水処理回路の各端部と腹水処理器の接続口との対応関係を示す図である。
【００２０】
腹水処理回路１００においては、腹水処理器１の４つの接続口４１〜４４に接続する４つの回路２１〜２４と吊下部材７１が、４つの連結部材１１〜１４（後述の１１ａ〜１４ａ又は１１ｂ〜１４ｂに対応）によって相互に連結されている。
【００２１】
第一〜第四回路２１〜２４は軟質チューブであり、第一回路２１の端部は腹水処理器１の長軸方向を鉛直方向にした時に最上部に位置する第一接続口４１と、第二回路２２の端部は第二接続口４２と、第三回路２３の端部は第三接続口４３と、第四回路２４の端部は第四接続口４４と、それぞれ接続可能なように構成されている。軟質チューブの材質はポリ塩化ビニルが好ましい。尚、各接続口４１〜４４の位置関係は、腹水処理器１の長軸方向を鉛直方向にした時に第一接続口４１の下方には第二接続口４２が隣接し、第二接続口４２の下方には第三接続口４３が隣接し、第三接続口４３の下方には第四接続口４４が隣接している。
【００２２】
また、第一〜第四回路２１〜２４の端部は、腹水処理回路１００が吊下部材７１によって吊り下げられた時に、鉛直上方からこの順序で配列するから、腹水処理器１の第一〜第四接続口４１〜４４との対応関係が明確になる。このため、腹水処理回路１００に対して腹水処理器１を接続するとき、接続操作を誤ることがない。また接続操作が簡便になる。
【００２３】
第一〜第四連結部材１１〜１４は腹水処理器１と腹水処理回路１００の自重を支えられる強度と可塑性を有するものであればどのような材質であっても良いが、好ましくは中実の軟質チューブであり、材質としてはポリ塩化ビニルが好ましい。第一〜第四連結部材１１〜１４の長さは、腹水処理器１の長軸方向を鉛直方向とした時の第一〜第四接続口４１〜４４の位置に合わせて適宜調節すれば良い。
【００２４】
連結部材と回路の接続部分の形状はどのような形状であっても良いが、第二連結部材１２と第二回路２２、第三連結部材１３と第二回路２２及び第三回路２３は直交していると、腹水処理回路１００を吊り下げた時に、第二回路２２及び第三回路２３が略水平となる。このように第二回路２２や第三回路２３が略水平になると、腹水処理器１の第二接続口４２や第三接続口４３と接続しやすくなるので好ましい。
【００２５】
吊下部材７１は固定台７に吊り下げるための構造を有している。吊り下げるための構造は、腹水処理器１と腹水処理回路１００の自重を支えられ、且つ外れ難いものであればどのようなものであっても良いが、例えば、固定台７がイルリガートルスタンドであれば、スタンドに引っ掛ける輪であっても良いし、フックのようなものであっても良い。
【００２６】
吊下部材７１の材質は腹水処理器１と腹水処理回路１００の自重を支えられる強度があればどのようなものであっても良いが、例えば、連結部材と同じ材質で中空であっても良く、また中実の軟質チューブであっても良い。
【００２７】
腹水処理回路１００は結束バンドによって束ねられていても良い。固定台７に吊り下げるまで、腹水処理回路１００を結束バンドによって束ねておけば、腹水処理回路１００の取扱いが容易になり、しかも不用意に回路が垂れ下がって床などに接触し不潔になる恐れがないので好ましい。
【００２８】
腹水処理器１には、腹水濾過器２や腹水濃縮器３がある。腹水濾過器２としては、腹水中の有用物質、例えばアルブミン、グロブリン等の蛋白質は通過させるが、細菌や癌細胞のような有害物質を通過させず、しかも目づまりを起こしにくい中空糸が使用される。腹水濃縮器３は、内蔵されている濃縮膜の透過性能が、分子量６．７万のアルブミンはほとんど透過しないが、水およびそれに溶解した電解質を透過するものであれば、その素材、形状に特に制限はないが、通常、中空糸が好ましく使用できる。
【００２９】
本発明に係る腹水処理回路１００に接続される腹水処理器１は、腹水濾過器２あるいは腹水濃縮器３であっても良いし、腹水濾過濃縮を連続して行えるように、腹水濾過器２と腹水濃縮器３の２つであっても良い。腹水濾過器２と腹水濃縮器３の２つに接続される腹水処理回路１００は、例えば図２、図３のように構成される。
【００３０】
図２は、腹水処理回路１００が固定台７に吊り下げられた状態で自重により垂下した様子を示す模式図であり、図３は、腹水処理回路１００が固定台７に吊り下げられて自重により垂下した状態で、腹水濾過器２と、腹水濃縮器３と、腹水貯留バッグ４と、回収バッグ５に接続された様子を示す模式図である。
【００３１】
図２の腹水処理回路１００は、腹水濾過器２に接続される濾過側腹水処理回路１０１と腹水濃縮器３に接続される濃縮側腹水処理回路１０２とから成る。そして濾過側腹水処理回路１０１は濾過側吊下部材７２によって吊り下げられ、濃縮側腹水処理回路１０２は濃縮側吊下部材７３によって吊り下げられる。
【００３２】
濾過側腹水処理回路１０１は、濾過側吊下部材７２によって吊り下げられると、鉛直上方から廃液回路３１、通気回路３２、濾過腹水導入回路３３、腹水導入回路３４の順に配置されるように構成され、濾過側吊下部材７２と廃液回路３１、廃液回路３１と通気回路３２、通気回路３２と濾過腹水導入回路３３、濾過腹水導入回路３３と腹水導入回路３４は、それぞれ連結部材１１ａ〜１４ａによって連結されている（図２）。
【００３３】
濃縮側腹水処理回路１０２は、濃縮側吊下部材７３によって吊り下げられると、鉛直上方から濃縮腹水回収回路３５、除水回路３６、閉塞用回路３７、濾過腹水導入回路３３の順に配置されるように構成されており、濾過側腹水処理回路１０１と濃縮側腹水処理回路１０２は同一の濾過腹水導入回路３３を有する。そして、濃縮側吊下部材７３と濃縮腹水回収回路３５、濃縮腹水回収回路３５と除水回路３６、除水回路３６と閉塞用回路３７、閉塞用回路３７と濾過腹水導入回路３３は、それぞれ連結部材１１ｂ〜１４ｂによって連結されている（図２）。
【００３４】
濾過側腹水処理回路１０１と濃縮側腹水処理回路１０２とは、各々結束バンドによって束ねられていても良い。固定台７に吊り下げるまで、濾過側腹水処理回路１０１と濃縮側腹水処理回路１０２とを結束バンドによって束ねておけば、回路の取扱いが容易になり、しかも不用意に回路が垂れ下がって床などに接触し不潔になる恐れがないので好ましい。
【００３５】
次に、図２のような状態に腹水処理回路１００を吊り下げてから、腹水濾過器２、腹水濃縮器３、生食バッグ６を接続し、プライミングを行う手順を説明する。まず、濾過側腹水処理回路１０１のクランプ８１〜８４を全て閉じて回路を閉塞する。
【００３６】
腹水濾過器２の長軸方向を鉛直方向に合わせて、腹水濾過器２を濾過側腹水処理回路１０１の近傍に持ってくると、図３に示す腹水濾過器２の廃液出口５１と廃液回路３１の端部が近接し、第一濾過腹水出口５２と通気回路３２の端部が近接し、第二濾過腹水出口５３と濾過腹水導入回路３３の端部が近接し、腹水入口５４と腹水導入回路３４の端部が近接するので、腹水濾過器２の各接続口と濾過側腹水処理回路１０１の各端部を、鉛直上方から順に接続する。腹水導入回路３４の他の端部は、生食バッグ６に接続する。
【００３７】
次に、腹水濃縮器３の長軸方向を鉛直方向に合わせて、腹水濃縮器３を濃縮側腹水処理回路１０２の近傍に持ってくると、腹水濃縮器３の濃縮腹水出口５５と濃縮腹水回収回路３５の端部が近接し、除水出口５６と除水回路３６の端部が近接し、除水出口５７と閉塞用回路３７の端部が近接し、濾過腹水入口５８と濾過腹水導入回路３３の端部が近接するので、腹水濃縮器３の各接続口と濃縮側腹水処理回路１０２の各端部を、鉛直上方から順に接続する。この時、クランプ８５とクランプ８６は開いたままで良い。
【００３８】
プライミングは次のようにして行う。まず、クランプ８１とクランプ８４を開けて、生食バッグ６から生食を、腹水導入回路３４、腹水濾過器２、廃液回路３１に流して、廃液回路３１の端部から排液し、腹水濾過器２の中空糸内部の空気を除去する。次に、クランプ８１とクランプ８６を閉じて、クランプ８３を開けて、生食を、濾過腹水導入回路３３、腹水濃縮器３、濃縮腹水回収回路３５に流して、濃縮腹水回収回路３５の端部から排液し、腹水濃縮器３の中空糸内部の空気を除去する。次に、クランプ８５を閉じて、クランプ８６を開けて、生食を除水回路３６から排液する。最後に、クランプ８４とクランプ８６を閉じれば、プライミングは完了する。
【００３９】
プライミングが終了したら、腹水処理回路１００に腹水貯留バッグ４と回収バッグ５とを接続する。腹水導入回路３４の他の端部に接続されている生食バッグ６を外して、腹水貯留バッグ４に接続し、濃縮腹水回収回路３５の端部に回収バッグ５を接続すれば良い。
【００４０】
図３は、腹水処理回路１００が固定台７に吊り下げられて自重により垂下した状態で、腹水濾過器２と、腹水濃縮器３と、腹水貯留バッグ４と、回収バッグ５に接続された様子を示す模式図である。
【００４１】
図３に示すように、腹水濾過器２と腹水濃縮器３は腹水処理回路１００によって固定台に吊り下げられる状態になるから、腹水濾過器２と腹水濃縮器３を固定するモジュールホルダーを使用しなくても良い。腹水濾過器２と腹水濃縮器３を固定する必要がある時には、モジュールホルダーを使用すれば良い。
【００４２】
ポンプを使用せずに、落差のみで腹水処理を行う場合は次のようにする。例えば、腹水貯留バッグ４を床から１３０ｃｍの高さに設置した場合、腹水濾過器２と腹水濃縮器３を腹水貯留バッグ４より低い位置に設置し、回収バッグ５を腹水貯留バッグ４より５０ｃｍ低い位置に設置して、クランプ８３〜８６を全て開け、クランプ８１とクランプ８２は閉じたまま、腹水濃縮処理を開始する。除水回路３６の端部から排液されていることを確認し、該排液が終了したら回収バッグ５の位置を腹水濃縮器３より低い位置まで下げる。
【００４３】
腹水貯留バッグ４が空になったら、クランプ８２を開けて、エアベントフィルタ９０と通気回路３２を通して空気を入れながら、腹水処理回路と腹水処理器に残った液をすべて回収バッグ５に回収する。
【００４４】
図３では、腹水が腹水濾過器２の鉛直下方から上方に向かって流れ、濾過腹水が腹水濃縮器３の鉛直下方から上方に向かって流れるように構成している。このようにすると、腹水濾過器２と腹水濃縮器３の内部の空気が抜けやすいので好ましい。
【００４５】
しかしながら、上述の構成に限るものではない。腹水が腹水濾過器２の鉛直上方から下方に向かって流れるようにしても良いし、濾過腹水が腹水濃縮器３の鉛直上方から下方に向かって流れるようにしても良い。そのような一例として、図４では腹水が腹水濾過器２の鉛直上方から下方に向かって流れ、濾過腹水が鉛直下方から上方に向かって流れるように構成された腹水処理回路１００を示している。
【産業上の利用可能性】
【００４６】
本発明は、腹水処理回路を腹水処理器に簡便、確実かつ安全に接続するのに有用である。
【図面の簡単な説明】
【００４７】
【図１】本発明の実施形態に係る腹水処理回路が固定台に吊り下げられた状態で自重により垂下した様子を示す模式図であり、腹水処理回路の各端部と腹水処理器の接続口との対応関係を示している。
【図２】本発明の別の実施形態に係る腹水処理回路が固定台に吊り下げられた状態で自重により垂下した様子を示す模式図である。
【図３】本発明の別の実施形態に係る腹水処理回路が固定台に吊り下げられて自重により垂下した状態で、腹水濾過器と、腹水濃縮器と、腹水貯留バッグと、回収バッグに接続された様子を示す模式図である。
【図４】本発明の更に別の実施形態に係る腹水処理回路が固定台に吊り下げられて自重により垂下した状態で、腹水濾過器と、腹水濃縮器と、腹水貯留バッグと、回収バッグに接続された様子を示す模式図である。
【符号の説明】
【００４８】
１…腹水処理器
２…腹水濾過器
３…腹水濃縮器
４…腹水貯留バッグ
５…回収バッグ
６…生食バッグ
７…固定台
１１…連結部材（１１ａ、１１ｂ：第一連結部材）
１２…連結部材（１２ａ、１２ｂ：第二連結部材）
１３…連結部材（１３ａ、１３ｂ：第三連結部材）
１４…連結部材（１４ａ、１４ｂ：第四連結部材）
２１…第一回路
２２…第二回路
２３…第三回路
２４…第四回路
３１…廃液回路
３２…通気回路
３３…濾過腹水導入回路
３４…腹水導入回路
３５…濃縮腹水回収回路
３６…除水回路
３７…閉塞用回路
４１…第一接続口
４２…第二接続口
４３…第三接続口
４４…第四接続口
５１…廃液出口
５２…第一濾過腹水出口
５３…第二濾過腹水出口
５４…腹水入口
５５…濃縮腹水出口
５６…除水出口
５７…除水出口
５８…濾過腹水入口
７１…吊下部材
７２…濾過側吊下部材
７３…濃縮側吊下部材
８１〜８６…クランプ
９０…エアベントフィルタ
１００…腹水処理回路
１０１…濾過側腹水処理回路
１０２…濃縮側腹水処理回路
【図１】
0005288882.tif 000002
【図２】
0005288882.tif 000003
【図３】
0005288882.tif 000004
【図４】
0005288882.tif 000005